(57)【要約】      （修正有）【課題】コスト低下や組立の便利性と実用性の向上などの効果を備えるシンプルな組立式折畳ヘッドハウジングを提供する。【解決手段】平面状の胴板本体によって折り畳まれ、胴板本体１は直線状に順次延長して接続する底板２、裏面板３、頂板４、正面板５、底部カバーパネル６、裏面カバーパネル７及び頂部カバーパネル８を含み、裏面板の左側・右側にはそれぞれ左側板３１及び右側板３２を延長して接続し、正面板の左側・右側には左側カバーパネル５１及び右側カバーパネル５２を延長して接続し、頂板に第一固定部４１を設け、頂部カバーパネルに第一固定部に対応する第二固定部８１を設ける。板体一つさえあればヘッドハウジングを折り畳んで組み立てることが可能であり、また、各板片はほぼ直線状に配置し、且つ板片にレンズを貼り付ける形で固定することで、板片数及びその以降の組立手順を大幅に簡素化できる。【選択図】図１
0003212845.tif 000002
【実用新案登録請求の範囲】
【請求項１】
平面状の胴板本体によって折り畳まれ、当該胴板本体は、直線状に順次延長して接続する底板、裏面板、頂板、正面板、底部カバーパネル、裏面カバーパネル及び頂部カバーパネルを含め、当該裏面板の左側・右側はそれぞれ左側板及び右側板に延長して接続し、当該正面板の左側・右側は左側カバーパネル及び右側カバーパネルに延長して接続し、そのうち、当該底板に第一鼻柱収容開口部を設け、当該裏面板にスクリーン透かしを設け、当該頂板に第一固定部を設け、当該頂部カバーパネルに当該第一固定部に対応する第二固定部を設け、当該正面板に接眼穴を二つ設け、当該正面板は二つの当該接眼穴の間の一方に鼻柱支持開口部を設け、当該底部カバーパネルに当該第一鼻柱収容開口部に対応する第二鼻柱収容開口部を設け、また、当該第二鼻柱収容開口部と当該鼻柱支持開口部が繋がっていることを特徴とするシンプル折畳ヘッドハウジング。 
【請求項２】
当該第一固定部のサイズが第二固定部のサイズより大きいことを特徴とする請求項１に記載のシンプルな組立式折畳ヘッドハウジング。
【請求項３】
さらに二つのレンズと二つの環状貼紙を含め、且つ当該レンズ周辺に同様な間隔置きに環状に配置する固定凸部を少なくとも2個設け、また、各当該環状貼紙でそれぞれ各当該レンズの固定凸部を正面板の接眼穴周囲に貼り付けることで、レンズを接眼穴側に固定させることが可能となることを特徴とする請求項１に記載のシンプルな組立式折畳ヘッドハウジング。
【請求項４】
さらに二つのレンズと二つの環状貼紙を含め、且つ当該レンズ周辺に環状固定部を設け、また、各当該環状貼紙で各当該レンズの環状固定部を正面板の接眼穴周囲に貼り付けることで、レンズを接眼穴側に固定させることが可能となることを特徴とする請求項１に記載のシンプルな組立式折畳ヘッドハウジング。
【請求項５】
当該底部カバーパネル幅は当該底板幅より大きく、底部カバーパネルを折り畳んでから底板底部を覆った後、その底板範囲以外の当該底部カバーパネル部分によってディスプレイデバイスを放置するためのデバイス放置エリアが形成されることを特徴とする請求項１に記載のシンプルな組立式折畳ヘッドハウジング。
【請求項６】
さらに滑り止めを含め、当該滑り止めは当該底部カバーパネルのデバイス放置エリアの一部または全部を覆うことを特徴とする請求項５に記載のシンプルな組立式折畳ヘッドハウジング。
【請求項７】
当該左側板と当該右側板にそれぞれ第三固定部を設け、且つ当該左側カバーパネル及び当該右側カバーパネルにそれぞれ当該左側板と当該左側板の第三固定部に対応する固定部透かしを設けることを特徴とする請求項１に記載のシンプルな組立式折畳ヘッドハウジング。
【請求項８】
さらに当該左側板と当該右側板の第三固定部に対応する補助固定部を二つ含め、且つ当該補助固定部が当該固定部透かしより大きいため、当該補助固定部はそれぞれ固定部透かしの外側方向から第三固定部と相互に接触結合することを特徴とする請求項7に記載のシンプルな組立式折畳ヘッドハウジング。
【請求項９】
さらに遮光板体を含め、当該遮光板体は頂部結合板を一つ有し、当該頂部結合板の左側・右側はそれぞれ左側結合板及び右側結合板に延長して接続し、当該頂部結合板下の表面に当該頂板の第一固定部に対応する第四固定部を設け、当該左側結合板及び当該右側結合板の下の表面にそれぞれ当該左側板及び当該右側板の第三固定部に対応する第五固定部を設けることを特徴とする請求項7に記載のシンプルな組立式折畳ヘッドハウジング。
【請求項１０】
さらに弾性ヘッドバンドを含め、且つ当該左側カバーパネル、当該右側カバーパネル及び当該裏面カバーパネルにそれぞれ第六固定部を設け、当該弾性ヘッドバンドと各当該第六固定部と相互に貼合結合することを特徴とする請求項１に記載のシンプルな組立式折畳ヘッドハウジング。
【考案の詳細な説明】
【技術分野】
【０００１】
本創作はバーチャルリアリティに利用するヘッドデバイスであり、とりわけ構造がシンプル且つ組み立てやすい折畳式ヘッドデバイスのことをいう。
【背景技術】
【０００２】
バーチャルリアリティ（Virtual Reality，VR）及び関連ヘッドマウントディスプレイ（Head Mount Disp1ay）は現在、非常に人気があり速やかに成長している技術分野であり、現在知られる既存のヘッドディスプレイデバイスに関し、その一部は既にディスプレイ（HTC ViveやOculus Riftなど）を内蔵しており、また、ディスプレイデバイス（Samsung Gear VRなどそのディスプレイデバイスはスマートフォンが一般的である）を外部から接続する必要がある場合もあるが、どれも機能や構造、規格が複雑であり、その値段は決して受け入れやすいものではない。2014年、Google I/O開発者大会では、GoogleからCardboardというVRビューア（VR Viewer）が発表されたが、板体（厚紙板など）を折り畳んでできたことがそのヘッドデバイスの本質であり、このようなVRビューアは構造がシンプル且つ制作費が低いとはいえ、異なる三枚の板体を折り畳んで接合しなければならない。これについて、中華民国特許第M505467号「ポータブルデバイスパッケージケース」はGoogleの設計を改善したもので、板体一枚のみ利用すればヘッドデバイスを折り畳むことが可能であり、製品構造の簡素化という目標に於いて一定の成果を上げたのである。
【０００３】
しかし、上述のように「ポータブルデバイスパッケージケース」は構造上、ヘッドハウジング本体を構成する主板体及びレンズを収容して固定させるためのレンズフレーム板体という二つの部分に概ね分けられ、そのうち、レンズフレーム板体だけでレンズフレーム板及びその他の付属板体を三つ含め、且つレンズは折畳後の三つの当該レンズフレーム板の間に挟まれて固定し、また、折畳・組立の際に、順次レンズフレーム板体と主板体を折り畳んでから両者を組合せなければ、最終完成品に仕上げることができない。板片の構造または組立手順から見ても、複雑であるため、如何に上述の不足に応じて改善を施すのかが、本案出願人が解決しようとする技術的難点である。
【考案の概要】
【０００４】
既存折畳式ヘッドデバイスの板片構造が複雑なため、組立に時間がかかることを顧慮の上、本創作の目的は構造がシンプル且つ組み立てやすい折畳式ヘッドの開発にある。
【０００５】
上記目的を達成するために、本創作はシンプルな組立式折畳ヘッドハウジングを提供するものであり、平面状の胴板本体によって折り畳まれ、当該胴板本体は直線状に順次延長して接続する底板、裏面板、頂板、正面板、底部カバーパネル、裏面カバーパネル及び頂部カバーパネルを含め、当該裏面板の左側・右側はそれぞれ左側板及び右側板に延長して接続し、当該正面板の左側・右側は左側カバーパネル及び右側カバーパネルに延長して接続し、そのうち、当該底板に第一鼻柱収容開口部を設け、当該裏面板にスクリーン透かしを設け、当該頂板に第一固定部を設け、当該頂部カバーパネルに当該第一固定部に対応する第二固定部を設け、当該正面板に接眼穴を二つ設け、当該正面板は二つの当該接眼穴の間の一方に鼻柱支持開口部を設け、当該底部カバーパネルに当該第一鼻柱収容開口部に対応する第二鼻柱収容開口部を設け、また、当該第二鼻柱収容開口部と当該鼻柱支持開口部が繋がっている。
【０００６】
そのうち、当該第一固定部は当該第二締結部より大きい。
【０００７】
そのうち、さらに二つのレンズと二つの環状貼紙を含め、各当該環状貼紙でそれぞれ各当該レンズを正面板の接眼穴側に貼り付ける。
【０００８】
そのうち、当該底部カバーパネル幅は当該底板幅より大きく、底部カバーパネルを折り畳んでから底板底部を覆った後、その底板範囲以外の当該底部カバーパネル部分によってディスプレイデバイスを放置するためのデバイス放置エリアが形成される。
【０００９】
さらに滑り止めを含め、当該滑り止めは当該底部カバーパネルのデバイス放置エリアの一部または全部を覆う。
【００１０】
そのうち、当該左側板と当該右側板にそれぞれ第三固定部を設ける。
【００１１】
さらに遮光板体を含め、当該遮光板体は頂部結合板を一つ有し、当該頂部結合板の左側・右側はそれぞれ左側結合板及び右側結合板に延長して接続し、当該頂部結合板下の表面に当該頂板の第一固定部に対応する第四固定部を設け、当該左側結合板及び当該右側結合板の下の表面にそれぞれ当該左側板及び当該右側板の第三固定部に対応する第五固定部を設ける。
【００１２】
そのうち、さらに弾性ヘッドバンドを含め、当該左側カバーパネル、当該右側カバーパネル及び当該裏面カバーパネルにそれぞれ第六固定部を設け、当該弾性ヘッドバンドと各当該第六固定部と相互に貼合結合する。
【００１３】
したがって、本創作は板体一枚さえあればヘッドハウジングを折り畳んで組み立てることが可能であり、また、各板片はほぼ直線状に配置し、且つ板片にレンズを貼り付ける形で固定させることで、板片数及びその以降の組立手順を大幅に簡素化できることにより、本創作はコスト低下や組立の便利性と実用性の向上などの効果を備えるようになる。
【図面の簡単な説明】
【００１４】
【図１】本創作の構造図である。
【図２】本創作を折り畳んで組み立てる動作図である。
【図２Ａ】本創作のもう一種類のレンズの構造図である。
【図３】本創作のレンズ組立が完了したがディスプレイデバイスを入れていない動作図である。
【図４】本創作にディスプレイデバイスを入れて折畳・組立を行う動作図である。
【図５】本創作の折畳が完了後のヘッドハウジング完成品の図面である。
【図６】本創作のヘッドハウジング完成品をもう一つの視角から見る図面である。
【図７】本創作の遮光フード完成品の構造図である。
【図８】本創作のヘッドハウジング完成品と折畳済遮光フードの組合図である。
【図９】本創作のヘッドハウジング完成品と遮光フードの組合せが完了後の図面である。
【図１０】本創作にさらに滑り止めゴムリングを設ける分解図である。
【図１１】本創作にさらに弾性ヘッドバンドを設ける組合図である。
【考案を実施するための形態】
【００１５】
第一図面に示すように、本創作はシンプルな組立式折畳ヘッドハウジングを提供するものであり、平面状の胴板本体1によって折り畳まれ、当該胴体板本体1は以下のものを含める。
【００１６】
直線状に順次延長して接続する底板2、裏面板3、頂板4、正面板5、底部カバーパネル6、裏面カバーパネル7及び頂部カバーパネル8。当該裏面板3の左側・右側はそれぞれ左側板31及び右側板32に延長して接続し、当該正面板5の左側・右側はそれぞれ左側カバーパネル51及び右側52に延長して接続し、また、前記の底板2や裏面板3など各板片が相互に接続するところに折畳線を設置することが、折曲・組立に有利である。
【００１７】
そのうち、当該胴板本体1がより優れるから、紙板やプラスチック板などに折曲の板体を提供することができるがこれらに限らない。例えば、金属板でも可能である。一般的に、当該胴板本体1は完成品の機械性強度と折曲特性との間からより良いバランスが取れるようにある程度厚さを持つ。当該胴板本体1の厚さについては、当分野を熟知する技術者のみが実際の需要に応じて簡単に調整することができるため、これに対し、本創作は制限を加えない。
【００１８】
そのうち、当該底板2に第一鼻柱収容開口部21を設け、当該裏面板3にスクリーン透かし301を設け、当該頂板4に第一固定部41を設け、当該第一固定部41はより優れるからベルクロ（面ファスナーまたはマジックテープともいう）またはジェルなど貼り付けを繰り返すことのできる接着剤の使用が可能であり、当該頂部カバーパネル8に当該第一固定部41に対応する第二固定部81を設け、本創作の折畳・組立が完了後、当該第二固定部81は第一固定部41と接触し結合固定できる。注意すべきことは、本実施例では、頂部カバーパネル8が底板2なのに対し特定した折曲方向があるため、折曲後の第二固定部81を折曲後の第一固定部41と相互に接触するように、当該第一固定部41と第二固定部81はそれぞれ胴板本体1の異なる表面（即ち上表面と下表面）に設置される。また、本創作のあるより良い実施方法では、当該第一固定部41は第二固定部81より大きくすることで、第二固定部81と第一固定部41と結合後、第一固定部41は一部が露出しても第二固定部81に完全に遮られることがなく、使用者が目を接眼穴501に合わせてバーチャルリアリティを体験するとして当該正面板5に接眼穴501を二つ設け、使用者の鼻柱輪郭にマッチし補助支持を可能にするとして当該正面板5は二つの当該接眼穴501の間の一方に鼻柱支持開口部502を設け、当該鼻柱支持開口部502と第一鼻柱収容開口部21はほぼ三角状の凹開口部とし、当該底部カバーパネル6に当該第一鼻柱収容開口部21に対応する第二鼻柱収容開口部61を設け、即ち当該第二鼻柱収容開口部61の形状、サイズと第一鼻柱収容開口部21の形状、サイズとほぼ同様であり、且つ本創作の折畳・組立が完了後、当該第二鼻柱収容開口部61は第一鼻柱収容開口部21と重合し、また、当該第二鼻柱収容開口部61と鼻柱支持開口部502が繋がり、また、当該底部カバーパネル6の幅H1（各板片で延長して接続する方向の長さともいう）は当該底板2の幅H2より大きい。したがって、第三図面と第四図面にも示すように、底部カバーパネル6は折り畳んだまま底板2の底部または外側を覆った後、その底板範囲以外の当該底部カバーパネル2部分によってディスプレイデバイス10（VRアプリを実行できるスマートフォンなど）を放置するためのデバイス放置エリア62が形成され、さらに当該底部カバーパネル6の当該デバイス放置エリア62の両側にそれぞれリミット凹部63を設けることが可能だが、第三図面に示すようである。
【００１９】
さらに当該左側板31と右側板32にそれぞれ第三固定部33を設けることが可能であり、且つ当該左側カバーパネル51及び当該右側カバーパネル52にそれぞれ当該左側31及び当該右側板32の第三固定部33に対応する固定部透かし53を設けることが可能であり、また、当該左側板31と当該右側板32の何れか一方は第一タッチホール34を設けることが可能であり、当該左側カバーパネル51または当該右側カバーパネル52に当該第一タッチホール34に対応する第二タッチホール56を設ける。本実施例では、当該第一タッチホール34は当該左側板31に設置されるため、左側カバーパネル51でも当該第一タッチホール34に対応する第二タッチホール56を設ける。
【００２０】
以下、本創作の折畳・組立方法について説明する。注意すべきことは、以下の説明では、本創作各板片の折畳・組立順次は典型的なものであり、本創作に利用できる順次がこれに限らず、且つ折畳・組立順次で本創作の特許を制限するものではない。第一図面と第二図面に示すように、頂板4の前の板片と正面板5の後の板面を相互に垂直にするために、まずは頂部板4に向き合いながら正面板5を下へ折曲し、折り畳んだ後の胴板本体1を第二図面に示すようにする。それから、本創作はさらに二つのレンズ54と二つの環状貼紙55を含め、且つ当該レンズ54周辺に同様な間隔置きに環状に配置する固定凸部541（本実施例では、レンズ54毎の固定凸部541数が3個）を少なくとも2個設け、また、各当該環状貼紙55でそれぞれ各当該レンズ54の固定凸部541を正面板5の接眼穴501周囲に貼り付けることで、レンズ54を接眼穴501側に固定させることが可能となる。このように、レンズ54の組立手順が完了する。また、第二のA図に示すのはもう一種類のレンズ54aの実施例であり、レンズ54との差は、当該レンズ54aの周辺に環状固定部542を設けることである。従って、当該環状貼紙55を利用してレンズ54aの環状固定部542を正面板5の接眼穴501の周囲に貼り付けることで、レンズ54aを接眼穴501側に固定させることが可能となる。それから、第三図面に示すように、折り畳んだ裏面板3を頂板4から垂直にし底板2を裏面板3から垂直にするために順次当該裏面板3と底板2を折り畳み、このように、底板2、裏面板3、頂板4と正面板5によって長立方体の上、下、前、後といった四つの面が構成され、さらに左側カバーパネル51及び右側カバーパネル52を折り畳んだままそれぞれ左側板31及び右側板32の外側を覆い、それから、底部カバーパネル6を正面板5に向き合いながら上へ折り畳むことで、当該底部カバーパネル6は折り畳んだまま底板2の外側を覆うことが可能となり、第三図面に示すようになる。ここで注意すべきことは、当該左側板31と当該右側板32がそれぞれ第三固定部33を有し、且つ当該左側カバーパネル51及び当該右側カバーパネル52がそれぞれ当該第三固定部33に対応する固定部透かし53を有する場合、向き合って外側に位置する固定部透かし53、内側に位置する第三固定部33は露出してもその使用を妨げない（当該第三固定部33の用途については後述する）。
【００２１】
それから、第一図面、第三図面、第四図面に示すように、使用者は当該ディスプレイデバイス10を底部カバーパネル6のデバイス放置エリア62の上に放置して裏面板3側に寄せることが可能であり、当該ディスプレイデバイス10のスクリーンを裏面板3に向けるようになり、また、順次当該裏面カバーパネル7及び頂部カバーパネル8を折り畳んで、当該頂部カバーパネル8の第二固定部81と頂板4の第一固定部41を接触させることで固定を実現する。このように、本創作のヘッドハウジング完成品1aのすべての折畳・組立手順が終了し、これにより、本創作はディスプレイデバイス10と完全なヘッドデバイスを組み合わせることが可能となる。組合せ済のヘッドデバイスは第五図面及び第六図面に示すようになる。ちなみに、本創作が当該第一タッチホール34と当該第二タッチホール56を有するため、使用者は指を当該第一タッチホール34と当該第二タッチホール56を経由して本創作内に入れ、当該ディスプレイデバイス10のスクリーンをタッチし、ディスプレイデバイス10に対し必要に応じてスクリーンのオンオフ切替やアプリ動作など操作を行うことで、本創作の実用性を確保する。
【００２２】
また、第一図面と第三図面にも示すように、注意すべきことは、一部の実行可能な実施方法では、当該左側板31、当該左側板32と当該左側カバーパネル51、当該右側カバーパネル52との間に両面テープなど粘着剤でさらに結合固定するが、板片を取外す時の柔軟性と便利性の低下につながる。これに対し、第六図面にも示すように、本実施例では、さらにそれぞれ当該第三固定部33に対応する補助固定部35を二つ含め、且つ当該補助固定部35は当該固定部透かし53より大きいため、使用者は二つの補助固定部35をそれぞれ固定部透かし53の外側方向から第三固定部33と相互に接触結合することで、当該左側板31、当該右側板32と当該左側カバーパネル51、当該右側板カバーパネル52との間の重合固定を実現できる。このように、使用者は需要に応じて補助固定部35を外し本創作を解体し平面状板体という本来の状態に戻すことが可能であることから、空間の節約や持ち歩きにも有利であり、より良い利便性が得られる。
【００２３】
第一図面に示すように、前記構造から見て、本創作は板体一つさえあればヘッドハウジングを折り畳んで組み立てることが可能であり、また、各板片はほぼ直線状に配置し、且つ板片にレンズ54を貼り付ける形で固定させることで、板片数及びその以降の組立手順を大幅に簡素化できることにより、本創作はコスト低下や組立の便利性と実用性の向上などの効果を備えるようになる。
【００２４】
また、第七図にも示すように、本創作の実施形態では、さらに遮光板体9を含め、当該遮光板体9は頂部結合板91を有し、当該頂部結合板91の左側・右側はそれぞれ左側結合板92及び右側結合板93に延長して接続し、また、当該頂部結合板91と当該左側結合板92または当該右側結合板93と相互に接続するところに折畳線を設置でき、当該頂部結合板91下の表面に当該頂板4の第一固定部41に対応する第四固定部94を設け、使用者頭部の輪郭にマッチし遮光効果を確保するとして当該頂部結合板91側に円弧凹開口部96を設けることが可能であり、当該左側結合板92及び当該右側結合板93の下の表面にそれぞれ当該左側板31及び当該右側板32の第三固定部33に対応する第五固定部95を設け、また、第一図面にも示すように、当該左側結合板92または右側結合板93に当該第一タッチホール34に対応する第三タッチホール97を設ける。したがって、第八図面と第九図面にも示すように、使用者は折畳という方法で、遮光板体9の各板片を遮光フード9にすることが可能であり、さらに順次当該頂部結合板91の第四固定部94を第二固定部81に遮られていない第一固定部41の一部に合わせ、当該左側結合板92及び当該右側結合板93の第五固定部95をそれぞれ左側31及び右側板32の第三固定部33に合わせ、対応する各固定部を相互に接触させることで、遮光フード9a及びヘッドハウジング完成品1aの組立・結合を実現することにより、本創作は明るい場所で使用できるようになると同時に、外の環境からの妨害を遮断し使用者を集中させその体験を充実させるから、本創作はより良い実用性が得られる。
【００２５】
また、第十図面にも示すように、そのうち、本創作はさらに滑り止め64を含め、当該滑り止め64はディスプレイデバイス10のずれや滑りが起こらないように、滑りを止める効果を得るとして、少なくとも当該底部カバーパネル6のデバイス放置エリア62の一部または全部を覆う。本実施例では、当該滑り止め64は具体的なものとしてゴムリングであり、且つ当該ゴムリングは当該底部カバーパネル6のデバイス放置エリア62周囲にはめる。また、注意すべきことは、当該底部カバーパネル6のデバイス放置エリア62両側にリミット凹部63を設けるため、当該リミット凹部63よりゴムリングに位置付け効果を提供することで、本創作の信頼性を高められる。また、前記ゴムリングのほかにも、当該滑り止め64に関し他の実施方法といえば、直接に当該デバイス放置エリア62の表面に滑り止めパッドを貼り付けることが挙げられる（図に示していない）。
【００２６】
また、第十一図面にも示すように、そのうち、本創作はさらに弾性ヘッドバンド98を含め、且つ当該左側カバーパネル51、当該右側カバーパネル52及び当該裏面カバーパネル7にそれぞれ第六固定部71を設け、当該弾性ヘッドバンド98と各当該第六固定部71を相互に貼合結合し、従って、使用者は当該弾性ヘッドバンド98によって本創作を頭部につけることが可能なので、手持ちが不要となり、より良い便利性が得られる。
【符号の説明】
【００２７】
〔本考案〕
1    胴板本体                1a   ヘッドハウジング完成品
10   ディスプレイデバイス    2    底板
21   第一鼻柱収容開口部      3    裏面板
301  スクリーン透かし        31   左側板
32   右側板                  33   第三固定部
34   第一タッチホール        35   補助固定部
4    頂板                    41   第一固定部
5    正面板                  501  接眼穴
502  鼻柱支持開口部          51   左側カバーパネル
52   右側カバーパネル        53   固定部透かし
54   レンズ                  54a  レンズ
541  固定凸部                542  環状固定部
55   環状貼紙                56   第二タッチホール
6    底部カバーパネル        61   第二鼻柱収容開口部
62   デバイス放置エリア      63   リミット凹部
64   滑り止め                7    裏面カバーパネル
71   第六固定部              8    頂部カバーパネル
81   第二固定部              9    遮光板体
9a  遮光フード               91  頂部結合板
92  左側結合板               93  右側結合板    
94  第四固定部               95  第五固定部
96  円弧凹開口部             97  第三タッチホール
98  弾性ヘッドバンド         H1  幅
H2  幅
【図１】
0003212845.tif 000003
【図２】
0003212845.tif 000004
【図２Ａ】
0003212845.tif 000005
【図３】
0003212845.tif 000006
【図４】
0003212845.tif 000007
【図５】
0003212845.tif 000008
【図６】
0003212845.tif 000009
【図７】
0003212845.tif 000010
【図８】
0003212845.tif 000011
【図９】
0003212845.tif 000012
【図１０】
0003212845.tif 000013
【図１１】
0003212845.tif 000014